(57)【要約】【課題】  従来よりも堅固な防球対策を実現すると共に、高品質な音を提供するというアレイスピーカ特有の性能をより向上させる。【解決手段】  本発明に係るフロントパネル２２は、アレイスピーカを構成するスピーカモジュールのバッフル板として用いられる。このフロントパネル２２は、ウーハ２４用の貫通孔３０と、ツイータ２６用の貫通孔３２と、バスレフポート２８用の貫通孔３６と、を備えている。各貫通孔３０，３２および３６の周縁部分３８，４４および４８は、前方に向かって突出しており、長尺状の補強部４０，４２および５０と共に、格子状の骨組５１を構成する。これにより、特に体育館用途では、球技に用いられるボールから、ウーハ２４，ツイータ２６およびバスレフポート２８を保護する、という防球対策が実現される。併せて、各周縁部分３８，４４および４８の内周壁は、ホーン状に形成されている。【選択図】        図３
2009124593.tif 000002
【特許請求の範囲】
【請求項１】
複数のスピーカモジュールを備えたアレイスピーカの該複数のスピーカモジュールそれぞれのフロント部に取り付けられるパネルであって、
それぞれの上記スピーカモジュールは第１スピーカユニットを有しており、
上記第１スピーカユニットのフロント部の周縁を囲みかつ該第１スピーカユニットのフロント部よりも前方に向かって突出するように設けられた第１縁部と、
上記第１縁部の内周壁間を掛け渡すように設けられ上記前方側の側縁が該第１縁部の先端に揃えられた１以上の補強部と、
を具備し、
上記第１縁部の内周壁は上記前方に向かうに従って徐々に外側に広がるように概略ホーン状に形成された、
アレイスピーカ用フロントパネル。
【請求項２】
上記補強部は上記前方に向かう方向に主面を沿わせた状態で設けられた概略長尺状部材である、
請求項１に記載のアレイスピーカ用フロントパネル。
【請求項３】
上記それぞれのスピーカモジュールは上記第１スピーカユニットよりも口径の小さい第２スピーカユニットを有しており、
上記第２スピーカユニットのフロント部の周縁を囲みかつ該第２スピーカユニットのフロント部よりも上記前方に向かって突出するように設けられた第２縁部をさらに備え、
上記第２縁部の内周壁は上記前方に向かうに従って徐々に外側に広がるように概略ホーン状に形成され、
上記第２縁部の先端は上記第１縁部の先端に揃えられた、
請求項１または２に記載のアレイスピーカ用フロントパネル。
【請求項４】
上記それぞれのスピーカモジュールは１列に配置された複数の上記第２スピーカユニットを有しており、
互いに隣り合う２つの上記第２スピーカユニット間の上記第２縁部は上記補強部と連続する、
請求項３に記載のアレイスピーカ用フロントパネル。
【請求項５】
上記それぞれのスピーカモジュールはバスレフポートを有しており、
上記バスレフポートのフロント部の周縁を囲みかつ該バスレフポートのフロント部よりも上記前方に向かって突出するように設けられた第３縁部をさらに備え、
上記第３縁部の先端は上記第１縁部の先端に揃えられた、
請求項１ないし４のいずれかに記載のアレイスピーカ用フロントパネル。
【請求項６】
複数の上記補強部を備え、
少なくとも上記第１縁部の先端と上記複数の補強部それぞれの上記側縁とに接した状態で上記第１スピーカユニットのフロント部を覆うように設けられたネット部材をさらに備える、
請求項１ないし５のいずれかに記載のアレイスピーカ用フロントパネル。
【発明の詳細な説明】
【技術分野】
【０００１】
本発明は、アレイスピーカ用フロントパネルに関し、特に、複数のスピーカモジュールを備えたアレイスピーカの当該複数のスピーカモジュールそれぞれのフロント部に取り付けられるフロントパネルに関する。
【背景技術】
【０００２】
コンサートホール等の高品質な音を提供する場所に用いられるスピーカとして、例えば非特許文献１に開示されているアレイスピーカがある。このアレイスピーカによれば、低域用のコーン型のウーハと高域用のドーム型のツイータとを有するスピーカユニットが、複数台、例えば４台、並べられている。このように複数台のスピーカユニットが並べられることで、ウーハの列から成る低域用の線状音源とツイータの列から成る高域用の線状音源とが仮想的に形成され、これにより低域から高域までの広帯域にわたる指向性制御が可能になり、不本意な音の拡散や壁等による反射の影響が抑制され、高品質な音の提供が実現される。
【０００３】
【非特許文献１】ティーオーエー株式会社製「コンパクトアレイスピーカー」カタログ，カタログＮｏ．Ｂ−１３１  ＯＫ１０，２００５年３月
【発明の開示】
【発明が解決しようとする課題】
【０００４】
ところで、近年、体育館のように音響環境が決して良好であるとは言えない場所でも、高品質な音を提供したいという要求が増えており、そのような要求に対しても、アレイスピーカは極めて効果的である。しかしながら、例えば体育館においては、当然にバレーボールやバスケットボール等の球技が行われるので、このような球技が行われる体育館用途では、ボールからアレイスピーカを保護するべく、何らかの対策、言わば防球対策、が必要になる。従来のアレイスピーカでは、この防球対策として、フロント部にパンチングネット（プレス加工によって多数の小さな貫通孔が穿設されると共に適宜に屈曲形成された厚さが１．６［ｍｍ］程度の金属板製のネット）が取り付けられていたが、このパンチングネットのみでは、これにボールが当たると変形する等の不都合が生じ、防球対策としては不十分であった。
【０００５】
そこで、本発明は、アレイスピーカにおいて、従来よりも堅固な防球対策を実現しつつ、高品質な音を提供するというアレイスピーカ特有の性能をより向上させること、を目的とする。
【課題を解決するための手段】
【０００６】
この目的を達成するために、本発明は、複数のスピーカモジュールを備えたアレイスピーカの当該複数のスピーカモジュールそれぞれのフロント部に取り付けられるパネルであって、それぞれのスピーカモジュールは、第１スピーカユニットを有することを、前提とする。そして、この前提の下、第１スピーカユニットのフロント部の周縁を囲み、かつ当該第１スピーカユニットのフロント部よりも音の出力方向である前方に向かって突出するように設けられた第１縁部と、この第１縁部の内周壁間を掛け渡すように設けられ、当該前方側の側縁が第１縁部の先端に揃えられた１以上の補強部と、を具備する。さらに、第１縁部の内周壁は、前方に向かうに従って徐々に外側に広がるように概略ホーン状に形成されたものである。
【０００７】
即ち、本発明では、第１スピーカユニットのフロント部の周縁を囲むように、第１縁部が設けられている。そして、この第１縁部は、第１スピーカユニットのフロント部よりも前方に向かって突出している。さらに、第１縁部の内周壁間を掛け渡すように、１以上の補強部が設けられている。そして、この補強部の前方側の側縁は、第１縁部の先端に揃えられており、言わば面一（ツライチ）とされている。従って、これら第１縁部と補強部とによって、第１スピーカユニットを外力から保護することができ、例えば体育館用途においては、当該第１スピーカユニットをボールから保護するという防球対策が実現される。しかも、第１縁部の内周壁は、前方に向かうに従って徐々に外側に広がるように概略ホーン状に形成されているので、第１スピーカユニットの出力特性、例えば出力効率や指向性，放射インピーダンスの整合性等が、向上する。
【０００８】
なお、本発明において、補強部は、前方に向かう方向（言い換えれば前後方向）に主面を沿わせた状態で設けられた概略長尺状部材であるのが、望ましい。このように構成することで、外力に対する補強部の機械的強度が向上する。
【０００９】
また、それぞれのスピーカモジュールは、第１スピーカユニットよりも口径の小さい第２スピーカユニットを有するものであってもよい。この場合、第２スピーカユニットのフロント部の周縁を囲み、かつ当該第２スピーカユニットのフロント部よりも前方に向かって突出するように設けられた第２縁部を、さらに備える。そして、第２縁部の内周壁は、前方に向かうに従って徐々に外側に広がるように概略ホーン状に形成され、当該第２縁部の先端は、第１縁部の先端に揃えられるものとする。
【００１０】
このようにすれば、第２スピーカユニットについても、第２縁部によって、防球対策が実現される。そして、第２縁部は、前方に向かうに従って徐々に外側に広がるように概略ホーン状に形成されているので、当該第２スピーカユニットの出力特性が向上する。
【００１１】
このようにそれぞれのスピーカモジュールが第２スピーカユニットを有する場合、当該第２スピーカユニットとしては、例えば高域用のツイータがある。一方、第１スピーカユニットとしては、例えば低域用のウーハ、または中低域用のスコーカがある。
【００１２】
さらに、それぞれのスピーカモジュールは、１列に配置された複数の第２スピーカユニットを有するものであってもよい。この場合、互いに隣り合う２つの第２スピーカユニット間の第２縁部は、補強部と連続するのが、望ましい。このようにすれば、互いに隣り合う２つの第２スピーカユニット間の第２縁部と補強部とが連続するので、意匠性が向上する。
【００１３】
また、それぞれのスピーカモジュールは、バスレフポートを有するバスレフ型のものであってもよい。この場合、バスレフポートのフロント部の周縁を囲み、かつ当該バスレフポートのフロント部よりも前方に向かって突出するように設けられた第３縁部を、さらに備える。そして、この第３縁部の先端は、第１縁部の先端に揃えられるものとする。
【００１４】
このようにすれば、バスレフポートについても、第３縁部によって、防球対策が実現される。なお、第３縁部についても、前方に向かうに従って徐々に外側に広がるように概略ホーン状に形成してもよい。これにより、バスレフポートの開口部付近での風切り音が抑制されると共に、空気の流通効率が向上するので、このこともまた、スピーカモジュール（アレイスピーカ）全体としての出力特性の向上に貢献する。
【００１５】
なお、バスレフポートの口径が比較的に大きい場合、例えば第２スピーカユニットの口径よりも大きい場合は、バスレフポートについても、上述と同様の補強部を設けてもよい。即ち、第３縁部の内周壁間を掛け渡すように設けられ、かつ前方側の側縁が当該第３縁部の先端に揃えられた１以上の補強部を、備えてもよい。そして、この補強部もまた、概略長尺状部材であってもよい。
【００１６】
さらに、少なくとも第１縁部の先端と補強部の側縁とに接した状態で第１スピーカユニットのフロント部を覆うように、例えばパンチングネット等のネット部材を、設けてもよい。この場合、ネット部材は、面一の状態にある第１縁部の先端と補強部の側縁とによって一様に支持されるので、外力に対して堅固であり、変形もし難い。特に、第１スピーカユニットの開口率が妨げられない程度に複数の補強部が設けられている場合、取り分け、これら複数の補強部が格子状や肋骨状に組み合わされている場合には、当該ネット部材の堅固さおよび変形のし難さが、より一層顕著化する。
【００１７】
それぞれのスピーカモジュールが第２スピーカユニットを有する場合には、当該第２スピーカユニットのフロント部をも覆うように、ネット部材を設けてもよい。この場合、第２縁部の先端は、第１縁部の先端および補強部の側縁と面一の状態にあるので、当該第２縁部の先端によっても、ネット部材を支持するようにすれば、ネット部材の耐力性が向上する。
【００１８】
これと同様に、それぞれのスピーカモジュールがバスレフポートを有する場合には、当該バスレフポートのフロント部をも覆うように、ネット部材を設けてもよい。この場合、第３縁部の先端は、第１縁部の先端および補強部の側縁と面一の状態にあり、さらに第２縁部の先端とも面一の状態にあるので、当該第３縁部の先端によっても、ネット部材を支持するようにすれば、ネット部材の耐力性が向上する。
【発明の効果】
【００１９】
上述したように、本発明によれば、それぞれのスピーカモジュールが有する第１スピーカユニットのフロント部の周縁を囲むように設けられた第１縁部と、この第１縁部の内周壁を掛け渡すように設けられた１以上の補強部と、によって、第１スピーカユニットをボールから保護するという防球対策が実現される。しかも、第１縁部の内周壁は概略ホーン状に形成されているので、第１スピーカユニットの出力特性が向上する。従って、パンチングネットのみの防球対策に留まる上述した従来技術に比べて、より堅固な防球対策を実現することができ、しかも高品質な音を提供するというアレイスピーカ特有の性能をより向上させることができる。
【発明を実施するための最良の形態】
【００２０】
本発明が適用されたラインアレイスピーカ１０の一実施形態について、図１〜図６を参照して説明する。
【００２１】
図１に示すように、本実施形態に係るラインアレイスピーカ１０は、複数台、例えば８台、のスピーカモジュール２０，２０，…を備えている。各スピーカモジュール２０，２０，…は、互いに同一仕様のものであり、それぞれ、バッフル板として機能するフロントパネル２２と、このフロントパネル２２の略中央部に取り付けられた第１スピーカユニットとしての低域用の例えばコーン型のウーハ２４と、このウーハ２４の横方に縦１列に配置された第２スピーカユニットとしての複数、例えば３つ、の高域用のドーム型ツイータ２６，２６および２６と、ウーハ２２を挟んで各ツイータ２６，２６および２６の列とは反対側に設けられた縦長のバスレフポート２８と、を有している。なお、フロントパネル２２は、ポリプロピレン等の硬質樹脂製である。
【００２２】
各スピーカモジュール２０，２０，…は、ウーハ２４，２４，…の列と、ツイータ２６，２６，…の列と、バスレフポート２８，２８，…の列と、が形成されるように、縦１列に、つまりライン状に、並べられている。これにより、ウーハ２４，２４，…の列から成る低域用の線状音源と、ツイータ２６，２６，…の列から成る高域用の線状音源と、バスレフポート２８，２８，…の列から成る線状の補助音源と、が仮想的に形成され、ラインアレイスピーカ１０全体として高品質な音の提供が実現される。
【００２３】
なお、各スピーカモジュール２０，２０，…の向き（中心軸の俯角）は調整可能とされており、この調整によってラインアレイスピーカ１０全体の指向角が制御される。そして、この指向角が制御された上で、つまり各スピーカモジュール２０，２０，…の向きが調整された上で、当該各スピーカモジュール２０，２０，…は、共通の木製または硬質樹脂製のエンクロージャ１００に一体に収容される。このとき、各スピーカモジュール２０，２０，…のフロントパネル２２，２２，…は、上述の如くバッフル板として機能する。ラインアレイスピーカ１０が、固定設備として用いられる場合には、このように各スピーカモジュール２０，２０，…は、共通のエンクロージャ１００に一体収容される。一方、ラインアレイスピーカ１０が、イベント等の仮設用途で用いられる場合には、各スピーカモジュール２０，２０，…は、図示しない個別のエンクロージャに収容されると共に、図示しない連結具によって適宜に連結される。
【００２４】
ここで、それぞれのスピーカモジュール２０に注目すると、図２および図３に示すように、当該それぞれのスピーカモジュール２０のフロントパネル２２は、ウーハ２４のフロント部（音波放出面）を外部に露出させるための貫通孔３０を有している。そして、この貫通孔３０の横方に、各ツイータ２６，２６および２６のフロント部をそれぞれ外部に露出させるための３つの貫通孔３２，３２および３２が設けられている。なお、これらの貫通孔３２，３２および３２は、等間隔に設けられており、これに伴い、各ツイータ２６，２６および２６もまた、等間隔に設けられている。この実施形態では、各ツイータ２６，２６および２６は、共通のプリント配線板３４に取り付けられている。そして、ウーハ２４用の貫通孔３０を挟んで各ツイータ２６，２６および２６用の貫通孔３２，３２および３２の列とは反対側に、バスレフポート２８を構成する縦長の貫通孔３６が設けられている。
【００２５】
さらに、図４をも参照して、ウーハ２４用の貫通孔３０に注目すると、この貫通孔３０の周縁部分３８は、ウーハ２４からの音の出力方向である前方に向かって突出している。しかも、この周縁部分３８の内周壁は、当該前方に向かうに従って徐々に外側に広がるようにホーン状に形成されている。さらに、周縁部分３８の内周壁間を掛け渡すように、縦方向に１本の長尺状（リブに類似した形状）の補強部４０が、設けられている。そして、この縦方向の補強部４０と直交するように、横方向に同様の２本の補強部４２および４２が、設けられている。なお、これらの補強部４０，４２および４２の前方側の側縁は、周縁部分３８の先端と一様に揃えられており、言わば面一とされている。
【００２６】
次に、各ツイータ２６，２６および２６用の貫通孔３２，３２および３２に注目すると、それぞれの貫通孔３２の周縁部分４４もまた、前方に向かって突出している。そして、この周縁部分４４の内周壁もまた、前方に向かうに従って徐々に外側に広がるようにホーン状に形成されている。なお、ツイータ２６，２６および２６側には、ウーハ２４側のような補強部４０，４２および４２は設けられていない。ただし、互いに隣り合う２つの貫通孔３２および３２間の周縁部分４４は、概略山脈状に形成されており、この概略山脈状に形成された周縁部分４４の先端は、ウーハ２４側の補強部４２の側縁に直線状に繋がった状態にある。そして、この概略山脈状のものを含むツイータ２６，２６および２６側の各周縁部分４４，４４および４４の先端は、ウーハ２４側の周縁部分３８の先端と面一とされている。
【００２７】
バスレフポート２８用の貫通孔３６に注目すると、この貫通孔３６の周縁部分４８もまた、前方に向かって突出しており、その内周壁は、当該前方に向かうに従って徐々に外側に広がるようにホーン状に形成されている。さらに、この周縁部分４８の内周壁間を掛け渡すように、横方向に２本の長尺状の補強部５０および５０が、設けられている。そして、各補強部５０および５０の前方側の側縁は、周縁部分４８の先端と共に、ウーハ２４側の周縁部分３８の先端と面一とされている。また、各補強部５０および５０の前方側の側縁は、ウーハ２４側の補強部４２の側縁，および上述したツイータ２６側の概略山脈状の周縁部分４４の先端と、直線状に繋がった状態にある。
【００２８】
なお、ウーハ２４側の周縁部分３８と、各ツイータ２６，２６および２６側の周縁部分４４，４４および４４と、によっても、概略山脈状の部分が形成される。これと同様に、ウーハ２４側の周縁部分３８と、バスレフポート２８側の周縁部分４８と、によっても、概略山脈状の部分が形成される。そして、これら概略山脈状の部分を含む各周縁部分３８，４４，４４，４４および４８の先端と、各補強部４０，４２，４２，５０および５０の前方側の側縁と、によって、面一の格子状の骨組５１が形成される。
【００２９】
このように構成されたスピーカモジュール２０に対して、通常は、図５に示すように、パンチングネット７０が取り付けられる。このパンチングネット７０は、例えば厚さ寸法が１［ｍｍ］程度の金属板にプレス加工を施すことによって多数の小さい貫通孔を穿設すると共に、当該金属板を概略凹状に屈曲形成したものであり、凸面を前方に向け、凹面を後方に向けた状態で、フロントパネル２０の前面部，上面部および底面部に設けられた溝部５０に取り付けられる。これにより、パンチングネット７０は、上述した格子状の骨組５１によって全体的に支持された状態になる。そして、このようにそれぞれのスピーカモジュール２０にパンチングネット７０が取り付けられた場合、ラインアレイスピーカ１０全体の構成は、図６に示すようになる。なお、パンチングネット７０の溝部５０への取り付けには、例えば接着剤または両面テープが用いられ、或いは溶着処理が施される。
【００３０】
以上のように、本実施形態によれば、それぞれのスピーカモジュール２０のフロント部には、格子状の骨組５１を有するフロントパネル２２が取り付けられているので、当該スピーカモジュール２０（ウーハ２４，各ツイータ２６，２６，２６およびバスレフポート２８）を外力から保護することができ、特に体育館用途においてはボールから保護するという防球対策が実現される。しかも、骨組５０を構成する各周縁部分３８，４４，４４，４４および４８は、概略山脈状またはこれに近い（つまり或る程度の厚みを持った形状）に形成されているので、当該骨組５０を含むフロントパネル２２全体の剛性等の機械的強度は相当なものになる。従って、パンチングネットのみの防球対策に留まる上述した従来技術に比べて、極めて堅固な防球効果を期待することができる。
【００３１】
また、パンチングネット７０が取り付けられた場合にも、当該パンチングネット７０は骨組５１によって全体的に支持されるので、これにボールが当たったとしても、容易には変形しない。従って、このパンチングネット７０を含むスピーカモジュール２０全体、ひいてはラインアレイスピーカ１０全体、の意匠性も維持される。このことは、別の観点から言うと、パンチングネット７０の材料として従来よりも厚さ寸法の小さい金属板を採用することができることを意味し、さらに言い換えれば、当該パンチングネット７０を含むスピーカモジュール２０全体、ひいてはラインアレイスピーカ１０全体、の軽量化および低コスト化を実現できることを意味する。
【００３２】
そして、ウーハ２４用，各ツイータ２６，２６，２６用およびバスレフポート２８用の各周縁部分３８，４４，４４，４４および４８は、いずれもホーン状に形成されているので、当該ウーハ２４，各ツイータ２６，２６，２６およびバスレフポート２８を含むスピーカモジュール２０全体、ひいてはラインアレイスピーカ１０全体、の出力特性、例えば出力効率や指向性，放射インピーダンスの整合性等が、向上する。
【００３３】
即ち、本実施形態によれば、従来よりも極めて堅固な防球対策を実現することができると共に、高品質な音を提供するというラインアレイスピーカ１０特有の性能をより向上させることができる。
【００３４】
なお、本実施形態においては、ウーハ２４をコーン型とし、ツイータ２６をドーム型としたが、これに限らない。即ち、これらウーハ２４およびツイータ２６の種類に拘らず、本発明を適用することができる。
【００３５】
また、それぞれのスピーカモジュール２０ごとに、ツイータ２６の数を３つとしたが、これ以外の数、つまり１つまたは２つ，或いは４つ以上の複数としてもよい。
【００３６】
さらに、バスレフポート２８についても、縦長のものに限らず、単なる円形ポートのように他の形状としてもよい。また、このバスレフポート２８が比較的に小型であり、例えば球技で想定されているボールよりも十分に小型である場合には、当該バスレフポート２８の前方にある補強部５０および５０については、適宜に省略し、その数を減らしてもよい。
【００３７】
ウーハ２４の前方にある縦方向の補強部４０、または横方向の補強部４２および４２についても、当該ウーハ２４の大きさ（サイズ）等に応じて、適宜に省略し、或いはそれぞれの数を増減してもよい。
【００３８】
ツイータ２６についても、必要に応じて、同様の補強部を設けてもよい。
【００３９】
また、本実施形態では、それぞれのスピーカモジュール２０について、バスレフポート２８を備えたバスレフ型としたが、当該バスレフポート２８を備えていない密閉型のものにも、本発明を適用することができる。そして、ウーハ２４と各ツイータ２６，２６および２６とを備えた２ウェイ式を例に挙げたが、例えば中域用のスコーカを備えた３ウェイ式、または当該スコーカのみの１ウェイ式のものであってもよい。
【００４０】
さらに、フロントパネル２２については、バッフル板としても機能させることとしたが、これに限らない。つまり、フロントパネル２２とバッフル板とを別個体としてもよい。
【００４１】
そして、ラインアレイスピーカ１０を構成するスピーカモジュール２０の台数についても、８台でなくてもよい。
【図面の簡単な説明】
【００４２】
【図１】本発明が適用されたラインアレイスピーカ全体の外観を示す斜視図である。
【図２】図１におけるスピーカモジュールの具体的な構造を示す図である。
【図３】図１におけるスピーカモジュールの外観を示す斜視図である。
【図４】図１におけるフロントパネルの外観を示す斜視図である。
【図５】図３のスピーカモジュールにパンチングネットが取り付けられた状態を示す図である。
【図６】図１のラインアレイスピーカにパンチングネットが取り付けられた状態を示す図である。
【符号の説明】
【００４３】
１０  ラインアレイスピーカ
２０  スピーカモジュール
２２  フロントパネル
２４  ウーハ
２６  ツイータ
２８  バスレフポート
３０，３２，３６  貫通孔
３８，４４，４８  周縁部分
４０，４２，５０  補強部
【図１】
2009124593.tif 000003
【図２】
2009124593.tif 000004
【図３】
2009124593.tif 000005
【図４】
2009124593.tif 000006
【図５】
2009124593.tif 000007
【図６】
2009124593.tif 000008